(57)【要約】【課題】効率的に無線通信を実行できる。【解決手段】無線通信装置１０は、無線エリアを形成するとともに、推定部１０５と制御部１０４とを備える。推定部１０５は、上記無線エリアにおける過去の接続によって得られる情報に基づいて、新規に接続を要求してきた端末装置の種別を推定する。制御部１０４は、上記推定された種別に基づいて上記端末装置との通信を制御する。【選択図】図７
2016167697.tif 000002
【特許請求の範囲】
【請求項１】
無線エリアを形成する無線通信装置であって、
前記無線エリアにおける過去の接続によって得られる情報に基づいて、新規に接続を要求してきた端末装置の種別を推定する推定部と、
前記推定された種別に基づいて前記端末装置との通信を制御する制御部と、
を備える、無線通信装置。
【請求項２】
請求項１に記載の無線通信装置であって、
前記情報は、前記無線エリアにて切断された接続の数に対する、前記無線エリアにてハンドオーバによって切断された接続の数の割合であるハンドオーバ切断割合を含み、
前記推定部は、前記ハンドオーバ切断割合が第１の閾値以下である場合、前記端末装置がＭ２Ｍ（Ｍａｃｈｉｎｅ  ｔｏ  Ｍａｃｈｉｎｅ）デバイスであると推定する、無線通信装置。
【請求項３】
請求項２に記載の無線通信装置であって、
前記情報は、ハンドオーバが実行された回数に対する、前記無線エリアと他の無線エリアとの間で繰り返されるハンドオーバが実行された回数の割合である往復ハンドオーバ割合を含み、
前記推定部は、前記ハンドオーバ切断割合が前記第１の閾値よりも高く、且つ、前記往復ハンドオーバ割合が第２の閾値以上である場合、前記端末装置がＭ２Ｍデバイスであると推定する、無線通信装置。
【請求項４】
請求項１乃至請求項３のいずれか一項に記載の無線通信装置であって、
前記情報は、１つの接続にて通信されたデータの量の、複数の接続に対する平均値を含み、
前記推定部は、前記平均値が第３の閾値以下である場合、前記端末装置がＭ２Ｍ（Ｍａｃｈｉｎｅ  ｔｏ  Ｍａｃｈｉｎｅ）デバイスであると推定する、無線通信装置。
【請求項５】
請求項１乃至請求項４のいずれか一項に記載の無線通信装置であって、
前記情報は、１つの接続にて単位時間あたりに通信されたデータの量の、複数の接続に対する平均値を含み、
前記推定部は、前記平均値が第４の閾値以下である場合、前記端末装置がＭ２Ｍ（Ｍａｃｈｉｎｅ  ｔｏ  Ｍａｃｈｉｎｅ）デバイスであると推定する、無線通信装置。
【請求項６】
請求項１乃至請求項５のいずれか一項に記載の無線通信装置であって、
前記情報は、１つの接続において通信可能な時間に対する、前記接続においてデータが通信された時間の割合の、複数の接続に対する平均値を含み、
前記推定部は、前記平均値が第５の閾値以下である場合、前記端末装置がＭ２Ｍ（Ｍａｃｈｉｎｅ  ｔｏ  Ｍａｃｈｉｎｅ）デバイスであると推定する、無線通信装置。
【請求項７】
請求項１乃至請求項６のいずれか一項に記載の無線通信装置であって、
前記推定部は、前記新規な接続の原因が遅延耐性アクセスである場合、前記端末装置がＭ２Ｍ（Ｍａｃｈｉｎｅ  ｔｏ  Ｍａｃｈｉｎｅ）デバイスであると推定する、無線通信装置。
【請求項８】
請求項１乃至請求項７のいずれか一項に記載の無線通信装置であって、
前記制御部は、前記端末装置がＭ２Ｍ（Ｍａｃｈｉｎｅ  ｔｏ  Ｍａｃｈｉｎｅ）デバイスであると推定された場合、前記端末装置との通信を、前記接続が維持される時間、及び、前記端末装置が動作する時間の少なくとも一方が、前記端末装置がＭ２Ｍデバイスと異なる装置であると推定された場合よりも短くなるように制御する、無線通信装置。
【請求項９】
請求項１乃至請求項８のいずれか一項に記載の無線通信装置であって、
前記情報は、原因が遅延耐性アクセスである接続によって得られる、無線通信装置。
【請求項１０】
無線エリアを形成する無線通信装置の接続制御方法であって、
前記無線エリアにおける過去の接続によって得られる情報に基づいて、新規に接続を要求してきた端末装置の種別を推定し、
前記推定された種別に基づいて前記端末装置との通信を制御する、接続制御方法。
【請求項１１】
請求項１０に記載の接続制御方法であって、
前記情報は、前記無線エリアにて切断された接続の数に対する、前記無線エリアにてハンドオーバによって切断された接続の数の割合であるハンドオーバ切断割合を含み、
前記推定は、前記ハンドオーバ切断割合が第１の閾値以下である場合、前記端末装置がＭ２Ｍ（Ｍａｃｈｉｎｅ  ｔｏ  Ｍａｃｈｉｎｅ）デバイスであると推定することを含む、接続制御方法。
【請求項１２】
請求項１１に記載の接続制御方法であって、
前記情報は、ハンドオーバが実行された回数に対する、前記無線エリアと他の無線エリアとの間で繰り返されるハンドオーバが実行された回数の割合である往復ハンドオーバ割合を含み、
前記推定は、前記ハンドオーバ切断割合が前記第１の閾値よりも高く、且つ、前記往復ハンドオーバ割合が第２の閾値以上である場合、前記端末装置がＭ２Ｍデバイスであると推定することを含む、接続制御方法。
【請求項１３】
無線エリアを形成する無線通信装置と、前記無線エリアにおいて前記無線通信装置と接続されることにより前記無線通信装置と無線により通信する端末装置と、を備える無線通信システムであって、
前記無線エリアにおける過去の接続によって得られる情報に基づいて、前記無線通信装置に、新規に接続を要求してきた前記端末装置の種別を推定する推定部と、
前記推定された種別に基づいて前記端末装置と前記無線通信装置との間の通信を制御する制御部と、
を備える、無線通信システム。
【請求項１４】
請求項１３に記載の無線通信システムであって、
前記情報は、前記無線エリアにて切断された接続の数に対する、前記無線エリアにてハンドオーバによって切断された接続の数の割合であるハンドオーバ切断割合を含み、
前記推定部は、前記ハンドオーバ切断割合が第１の閾値以下である場合、前記端末装置がＭ２Ｍ（Ｍａｃｈｉｎｅ  ｔｏ  Ｍａｃｈｉｎｅ）デバイスであると推定する、無線通信システム。
【請求項１５】
請求項１４に記載の無線通信システムであって、
前記情報は、ハンドオーバが実行された回数に対する、前記無線エリアと他の無線エリアとの間で繰り返されるハンドオーバが実行された回数の割合である往復ハンドオーバ割合を含み、
前記推定部は、前記ハンドオーバ切断割合が前記第１の閾値よりも高く、且つ、前記往復ハンドオーバ割合が第２の閾値以上である場合、前記端末装置がＭ２Ｍデバイスであると推定する、無線通信システム。
【発明の詳細な説明】
【技術分野】
【０００１】
本発明は、無線通信装置、接続制御方法、及び、無線通信システムに関する。
【背景技術】
【０００２】
無線エリアを形成する無線通信装置と、無線エリアにて無線通信装置と接続されることによって無線通信装置と無線により通信する、複数の端末装置と、を備える無線通信システムが知られている。
【０００３】
ある種の端末装置は、ユーザにより操作されずに使用される。この種の端末装置は、Ｍ２Ｍ（Ｍａｃｈｉｎｅ  ｔｏ  Ｍａｃｈｉｎｅ）デバイス、又は、ＩｏＴ（Ｉｎｔｅｒｎｅｔ  ｏｆ  Ｔｈｉｎｇｓ）と呼ばれる。
【０００４】
例えば、Ｍ２Ｍデバイスは、住宅に設置された、監視カメラ、照明装置、及び、空調装置である。この場合、例えば、監視カメラによって住人の外出及び帰宅を検出し、検出結果に応じて照明装置及び空調装置を制御するために、無線通信が実行される。
【０００５】
また、例えば、Ｍ２Ｍデバイスは、製品を販売する自動販売機、及び、当該製品を製造する製造装置である。この場合、例えば、自動販売機によって販売された製品の数を集計し、集計結果に応じて製造装置を制御するために、無線通信が実行される。
【０００６】
例えば、特許文献１に記載の無線通信装置は、新規に接続された端末装置から受信した帯域予約要求に含まれるＭＡＣヘッダのバージョン情報に基づいて、当該端末装置の種別を推定する。そして、無線通信装置は、推定された種別に基づいて、当該端末装置との通信を制御する。ＭＡＣは、Ｍｅｄｉｕｍ  Ａｃｃｅｓｓ  Ｃｏｎｔｒｏｌの略記である。
【先行技術文献】
【特許文献】
【０００７】
【特許文献１】特開２００７−２６６７１９号公報
【発明の概要】
【発明が解決しようとする課題】
【０００８】
ところで、ＷｉＭＡＸと異なる通信方式においては、ＭＡＣヘッダが送信されないことがある。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。この場合、上記無線通信装置によれば、端末装置の種別を推定できない。その結果、効率的に無線通信を実行できないことがある。
【０００９】
一つの側面として、本発明の目的の一つは、効率的に無線通信を実行することにある。
【課題を解決するための手段】
【００１０】
一つの側面では、無線通信装置は、無線エリアを形成するとともに、推定部と制御部とを備える。推定部は、上記無線エリアにおける過去の接続によって得られる情報に基づいて、新規に接続を要求してきた端末装置の種別を推定する。制御部は、上記推定された種別に基づいて上記端末装置との通信を制御する。
【発明の効果】
【００１１】
効率的に無線通信を実行できる。
【図面の簡単な説明】
【００１２】
【図１】端末装置が携帯電話機である場合における通信量の時間に対する変化の一例を表すグラフである。
【図２】端末装置がＭ２Ｍデバイスである場合における通信量の時間に対する変化の一例を表すグラフである。
【図３】第１実施形態に係る無線通信システムの構成の一例を表すブロック図である。
【図４】図３の無線通信装置の構成の一例を表すブロック図である。
【図５】図３の端末装置の構成の一例を表すブロック図である。
【図６】図３の制御装置の構成の一例を表すブロック図である。
【図７】図３の無線通信装置の機能の一例を表すブロック図である。
【図８】図３の無線通信システムが、端末装置と無線通信装置とを接続するために実行する手順の一例を表すシーケンス図である。
【図９】接続原因情報の一例を表すテーブルである。
【図１０】図３の無線通信システムが、制御装置からのＨＯ（Ｈａｎｄｏｖｅｒ）要求に基づく端末装置に対するＨＯを実現するために実行する手順の一例を表すシーケンス図である。
【図１１】履歴情報の一例を表すテーブルである。
【図１２】図３の無線通信システムが、無線通信装置と端末装置との接続を切断するために実行する手順の一例を表すシーケンス図である。
【図１３】図３の無線通信システムが、無線通信装置と端末装置との接続を切断するために実行する手順の一例を表すシーケンス図である。
【図１４】図３の無線通信装置が取得する履歴情報の、セルの組み合わせ毎の数の一例を表すテーブルである。
【図１５】図３の無線通信装置が取得する、ＨＯ切断数、全切断数、ＨＯ切断割合、及び、往復ＨＯ割合の一例を表すテーブルである。
【図１６】図３の無線通信装置が、端末装置との通信を制御するために用いる無線パラメータの一例を表すテーブルである。
【図１７】図３の無線通信システムが、端末装置に対する無線パラメータを設定するために実行する手順の一例を表すシーケンス図である。
【図１８】図３の無線通信装置が、端末装置の種別を推定するとともに、端末装置との通信を制御するために実行する処理の一例を表すフローチャートである。
【図１９】図３の無線通信システムにおける、無線通信装置と端末装置との接続の一例を表す説明図である。
【図２０】図３の無線通信システムにおける、無線通信装置と端末装置との接続の一例を表す説明図である。
【図２１】図３の無線通信装置が取得する履歴情報の、セルの組み合わせ毎の数の一例を表すテーブルである。
【図２２】図３の無線通信装置が取得する、ＨＯ切断数、全切断数、ＨＯ切断割合、及び、往復ＨＯ割合の一例を表すテーブルである。
【図２３】図３の無線通信装置が取得する、ＨＯ切断数、全切断数、ＨＯ切断割合、及び、往復ＨＯ割合の一例を表すテーブルである。
【図２４】第２実施形態の無線通信装置が、端末装置の種別を推定するとともに、端末装置との通信を制御するために実行する処理の一例を表すフローチャートである。
【図２５】第３実施形態の無線通信装置が、端末装置の種別を推定するとともに、端末装置との通信を制御するために実行する処理の一例を表すフローチャートである。
【図２６】端末装置が通信を行なう時間と通信を行なわない時間との一例を表す説明図である。
【図２７】第４実施形態の無線通信装置が、端末装置の種別を推定するとともに、端末装置との通信を制御するために実行する処理の一例を表すフローチャートである。
【発明を実施するための形態】
【００１３】
以下、図面を参照して実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１４】
図１及び図２は、それぞれ、端末装置が携帯電話機及びＭ２Ｍデバイスである場合において、無線通信装置と端末装置との間で通信されるデータの量（換言すると、通信量）の時間に対する変化の一例を表す。携帯電話機は、非Ｍ２Ｍデバイスと表されてよい。
【００１５】
携帯電話機を使用するユーザは、動画を視聴するため、又は、アプリケーションプログラムを実行するため、比較的大きいサイズのデータを比較的長い時間に亘って使用することがある。
一方、Ｍ２Ｍデバイスは、定期的に、又は、外部の装置からの指示に従って、センサデータを送信することがある。センサデータは、例えば、温度、湿度、加速度、照度、風向、風速、地震動、雨量、音の大きさ、水位、電力の使用量、水の使用量、ガスの使用量、撮影された画像若しくは映像、又は、製品の販売数等を表す。
【００１６】
図１に表されるように、端末装置が携帯電話機である場合、通信量が不規則に変化する。端末装置が携帯電話機である場合、通信量は、例えば、数メガバイトである。また、端末装置が携帯電話機である場合、通信が継続する時間は、例えば、数分から数十分である。
【００１７】
一方、図２に表されるように、端末装置がＭ２Ｍデバイスである場合、通信量が規則的に変化する。端末装置がＭ２Ｍデバイスである場合、通信量は、例えば、数キロバイトである。また、端末装置がＭ２Ｍデバイスである場合、通信が継続する時間は、例えば、数ミリ秒から数秒である。
【００１８】
従って、端末装置が携帯電話機である場合、端末装置がＭ２Ｍデバイスである場合よりも通信量が多い傾向にある。また、端末装置が携帯電話機である場合、端末装置がＭ２Ｍデバイスである場合よりも通信が継続する時間が長い傾向にある。
【００１９】
図１に表されるように、携帯電話機の通信量は、大きく変化しやすい。このため、無線通信装置は、十分に大きい量の無線リソースを携帯電話機に割り当てる。本例では、端末装置に割り当てられる無線リソースの通信量は、割当量と表される。
【００２０】
図２に表されるように、Ｍ２Ｍデバイスに対しても、携帯電話機と同様に無線リソースを割り当てた場合、割り当てられた無線リソースに対する、実際に通信に使用される無線リソースの割合は、低くなりやすい。換言すると、無線リソースが無駄に割り当てられやすい。
【００２１】
ところで、３ＧＰＰにより規定された通信方式においては、ＭＡＣヘッダが送信されない。３ＧＰＰは、Ｔｈｉｒｄ  Ｇｅｎｅｒａｔｉｏｎ  Ｐａｒｔｎｅｒｓｈｉｐ  Ｐｒｏｊｅｃｔの略記である。このため、ＭＡＣヘッダのバージョン情報に基づいて、端末装置の種別を推定できない。
【００２２】
また、端末装置が新規に接続を要求してきた場合、最初に比較的少ない無線リソースを割り当て、その後、割り当てる無線リソースを徐々に増加することが考えられる。しかしながら、この場合、携帯電話機において生じやすいバーストトラフィックが発生した場合、無線リソースが不足することによって接続が切断されることがある。例えば、バーストトラフィックは、通信量が急増することを表す。
【００２３】
＜第１実施形態＞
（構成）
図３に表されるように、第１実施形態に係る無線通信システム１は、例示的に、Ｍ個の無線通信装置１０−１，１０−２，…，１０−Ｍと、Ｎ個の端末装置２０−１，２０−２，…，２０−Ｎと、制御装置３０と、を備える。
【００２４】
本例では、Ｍは、２以上の整数を表す。また、以下において、無線通信装置１０−ｍは、区別する必要がない場合、無線通信装置１０とも表される。ｍは、１からＭの各整数を表す。本例では、Ｎは、２以上の整数を表す。また、以下において、端末装置２０−ｎは、区別する必要がない場合、端末装置２０とも表される。ｎは、１からＮの各整数を表す。
【００２５】
無線通信システム１は、無線通信装置１０−ｍと端末装置２０−ｎとの間で、所定の通信方式に従った無線通信を行なう。例えば、通信方式は、ＬＴＥ方式である。ＬＴＥは、Ｌｏｎｇ  Ｔｅｒｍ  Ｅｖｏｌｕｔｉｏｎの略記である。なお、通信方式は、ＬＴＥ方式と異なる方式（例えば、ＬＴＥ−Ａｄｖａｎｃｅｄ等の方式）であってもよい。
【００２６】
無線通信装置１０−ｍは、無線エリアを形成する。なお、無線通信装置１０−ｍは、複数の無線エリアを形成してもよい。無線エリアは、カバレッジ・エリア、又は、通信エリアと表されてもよい。また、無線エリアは、セルと表されてよい。例えば、セルは、マクロセル、マイクロセル、ナノセル、ピコセル、フェムトセル、ホームセル、スモールセル、又は、セクタセル等である。
【００２７】
無線通信装置１０−ｍは、当該無線通信装置１０−ｍが形成するセル内に位置する端末装置２０−ｎと無線により通信する。
本例では、無線通信装置１０−ｍは、当該無線通信装置１０−ｍが形成するセルにおいて無線リソースを提供する。本例では、無線リソースは、時間及び周波数により識別される。無線通信装置１０−ｍは、当該無線通信装置１０−ｍが形成するセル内に位置する端末装置２０−ｎと、当該セルにおいて提供している無線リソースを用いることにより通信を行なう。
【００２８】
本例では、無線通信装置１０−ｍは、当該無線通信装置１０−ｍが形成するセルに位置する端末装置２０−ｎから接続要求を受信した場合、当該無線通信装置１０−ｍを当該端末装置２０−ｎと接続する。接続要求は、無線通信装置１０−ｍとの接続を要求する情報である。
【００２９】
更に、本例では、無線通信装置１０−ｍは、制御装置３０、又は、他の無線通信装置１０−ｐからＨＯ（Ｈａｎｄｏｖｅｒ）要求を受信した場合、ＨＯ要求により識別される端末装置２０と当該無線通信装置１０−ｍを接続する。ｐは、１からＭの、ｍと異なる整数を表す。ＨＯ要求は、端末装置２０を識別する情報を含むとともに、当該端末装置２０の接続先を無線通信装置１０−ｍへ変更することを要求する情報である。
【００３０】
無線通信装置１０−ｍは、当該無線通信装置１０−ｍと接続されている端末装置２０−ｎとの間でデータ信号を送受信する。例えば、データ信号は、任意のデータ（例えば、ユーザデータ）を表す。
【００３１】
本例では、無線通信装置１０−ｍは、当該無線通信装置１０−ｍと接続されている端末装置２０−ｎとの間で通信が行なわれなかった時間が、所定の閾値よりも長い場合、当該端末装置２０−ｎとの接続を切断する。更に、本例では、無線通信装置１０−ｍは、当該無線通信装置１０−ｍと接続されている端末装置２０−ｎとの間の通信の品質が所定の閾値よりも低い場合、当該端末装置２０−ｎとの接続を切断する。
【００３２】
無線通信装置１０−ｍは、端末装置２０−ｎからの測定報告に基づいて、当該端末装置２０−ｎに対してＨＯを実行するか否かを決定する。本例では、測定報告は、接続中の無線通信装置１０−ｍと端末装置２０−ｎとの間の通信の品質と、他の無線通信装置１０−ｐと端末装置２０−ｎとの間の通信の品質と、の測定結果を表す。
【００３３】
無線通信装置１０−ｍは、ＨＯを実行すると決定した場合、制御装置３０、又は、他の無線通信装置１０−ｐへＨＯ要求を送信するとともに、ＨＯ指示を端末装置２０−ｎへ送信する。ＨＯ指示は、ＨＯの実行を指示する情報である。
【００３４】
なお、無線通信装置１０−ｍは、基地局、ｅＮＢ（Ｅｖｏｌｖｅｄ  Ｎｏｄｅ  Ｂ）、又は、ＮＢ（Ｎｏｄｅ  Ｂ）と表されてよい。
【００３５】
本例では、図３に示すように、無線通信装置１０−ｍは、有線により通信可能に通信網（例えば、コアネットワーク）ＮＷに接続されている。なお、無線通信装置１０−ｍは、有線に代えて、無線により通信可能に通信網ＮＷに接続されていてもよい。無線通信装置１０−ｍと通信網ＮＷとの間のインタフェースは、Ｓ１インタフェースと表されてもよい。また、無線通信装置１０間のインタフェースは、Ｘ２インタフェースと表されてもよい。
【００３６】
無線通信システム１のうちの無線通信装置１０よりも通信網（即ち、上位）ＮＷ側の部分は、ＥＰＣと表されてもよい。ＥＰＣは、Ｅｖｏｌｖｅｄ  Ｐａｃｋｅｔ  Ｃｏｒｅの略記である。無線通信システム１のうちの無線通信装置１０により形成される部分は、Ｅ−ＵＴＲＡＮと表されてもよい。Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００３７】
端末装置２０−ｎは、当該端末装置２０−ｎが位置するセルにおいて提供されている無線リソースを用いて、当該セルを形成する無線通信装置１０−ｍと無線により通信する。
本例では、端末装置２０−ｎは、当該端末装置２０−ｎが位置するセルを形成する無線通信装置１０−ｍとの間で予め定められた制御信号を送受信することにより、無線通信装置１０−ｍに接続される。更に、本例では、端末装置２０−ｎは、無線通信装置１０−ｍに接続されている場合、データ信号を当該無線通信装置１０−ｍとの間で送受信する。
【００３８】
なお、端末装置２０−ｎは、無線端末、無線機器、無線装置、又は、ユーザ端末（ＵＥ；Ｕｓｅｒ  Ｅｑｕｉｐｍｅｎｔ）と表されてよい。本例では、端末装置２０−ｎは、Ｍ２Ｍデバイス、又は、携帯電話機等である。携帯電話機の一例は、スマートフォンである。Ｍ２Ｍデバイスの一例は、センサ、又は、メータ（測定器）である。Ｍ２Ｍデバイスは、ＩｏＴ（Ｉｎｔｅｒｎｅｔ  ｏｆ  Ｔｈｉｎｇｓ）デバイスと表されてもよい。
【００３９】
端末装置２０−ｎは、ユーザによって携帯されていてもよいし、車両等の移動体に搭載されていてもよいし、固定されていてもよい。本例では、端末装置２０−ｎが携帯電話機である場合、端末装置２０−ｎは、ユーザによって携帯される。換言すると、端末装置２０−ｎが携帯電話機である場合、端末装置２０−ｎは移動することがある。また、本例では、端末装置２０−ｎがＭ２Ｍデバイスである場合、端末装置２０−ｎは固定される（換言すると、移動しない）。
【００４０】
制御装置３０は、有線により通信可能に通信網ＮＷに接続されている。本例では、制御装置３０は、通信網ＮＷを介して、各無線通信装置１０と通信可能に接続されている。制御装置３０は、制御局、管理装置、制御サーバ、又は、管理サーバと表されてよい。なお、制御装置３０は、ＭＭＥ（Ｍｏｂｉｌｉｔｙ  Ｍａｎａｇｅｍｅｎｔ  Ｅｎｔｉｔｙ）、又は、ＨＳＳ（Ｈｏｍｅ  Ｓｕｂｓｃｒｉｂｅｒ  Ｓｅｒｖｅｒ）と表されてよい。また、制御装置３０は、複数の装置により形成されてもよい。
【００４１】
（構成；無線通信装置１０）
次に、無線通信装置１０の構成について説明する。
図４に表されるように、無線通信装置１０は、例示的に、バスＢＵ１を介して互いに接続された、処理装置１１と、記憶装置１２と、無線通信部１３と、有線通信部１４と、を備える。
【００４２】
処理装置１１は、後述する機能を実現するために、無線通信装置１０の各部を制御する。本例では、処理装置１１は、ＣＰＵ（Ｃｅｎｔｒａｌ  Ｐｒｏｃｅｓｓｉｎｇ  Ｕｎｉｔ）である。本例では、処理装置１１は、記憶装置１２に記憶されているプログラムを実行することにより、後述する機能を実現する。
【００４３】
なお、処理装置１１は、ＬＳＩ（Ｌａｒｇｅ  Ｓｃａｌｅ  Ｉｎｔｅｇｒａｔｉｏｎ）、又は、プログラム可能な論理回路装置（ＰＬＤ；Ｐｒｏｇｒａｍｍａｂｌｅ  Ｌｏｇｉｃ  Ｄｅｖｉｃｅ）により機能が実現されてもよい。
【００４４】
例えば、記憶装置１２は、ＲＡＭ、ＲＯＭ、ＨＤＤ、ＳＳＤ、半導体メモリ、及び、有機メモリの少なくとも１つを備える。ＲＡＭは、Ｒａｎｄｏｍ  Ａｃｃｅｓｓ  Ｍｅｍｏｒｙの略記である。ＲＯＭは、Ｒｅａｄ  Ｏｎｌｙ  Ｍｅｍｏｒｙの略記である。ＨＤＤは、Ｈａｒｄ  Ｄｉｓｋ  Ｄｒｉｖｅの略記である。ＳＳＤは、Ｓｏｌｉｄ  Ｓｔａｔｅ  Ｄｒｉｖｅの略記である。
【００４５】
例えば、記憶装置１２は、揮発性のメモリと不揮発性のメモリとを備える。なお、記憶装置１２は、フレキシブルディスク、光ディスク、光磁気ディスク、及び、半導体メモリ等の記録媒体と、記録媒体から情報を読み取り可能な読取装置と、を備えていてもよい。
【００４６】
無線通信部１３は、アンテナ１５を備え、アンテナ１５を介して形成するセルに位置する端末装置２０と、上記通信方式に従った通信を行なう。本例では、無線通信部１３は、ＤＳＰ（Ｄｉｇｉｔａｌ  Ｓｉｇｎａｌ  Ｐｏｃｅｓｓｏｒ）が予め保持するプログラムを実行することにより、機能が実現される。なお、無線通信部１３は、ＬＳＩにより機能が実現されてもよい。
【００４７】
有線通信部１４は、通信ケーブルを接続可能な通信ポートを備え、通信ケーブルを介して通信網ＮＷに接続されることにより、通信網ＮＷに接続された他の装置（例えば、制御装置３０）と、有線ＬＡＮ方式に従った通信を行なう。例えば、有線ＬＡＮ方式は、ＩＥＥＥ  ８０２．３シリーズである。有線ＬＡＮ方式は、有線通信方式の一例である。例えば、有線ＬＡＮ方式は、Ｅｔｈｅｒｎｅｔ（登録商標）方式であってよい。
【００４８】
（構成；端末装置２０）
図５に表されるように、端末装置２０は、例示的に、バスＢＵ２を介して互いに接続された、処理装置２１と、記憶装置２２と、無線通信部２３と、を備える。
処理装置２１は、処理装置１１と同様の機能を有する。記憶装置２２は、記憶装置１２と同様の機能を有する。
【００４９】
無線通信部２３は、アンテナ２４を備え、アンテナ２４を介して、当該無線通信部２３を備える端末装置２０を含むセルを形成する無線通信装置１０と、上記通信方式に従った通信を行なう。
【００５０】
（構成；制御装置３０）
図６に表されるように、制御装置３０は、例示的に、バスＢＵ３を介して互いに接続された、処理装置３１と、記憶装置３２と、有線通信部３３と、を備える。
処理装置３１は、処理装置１１と同様に、後述する機能を実現するために、制御装置３０の各部を制御する。記憶装置３２は、記憶装置１２と同様の機能を有する。
【００５１】
有線通信部３３は、有線通信部１４と同様の機能を有し、通信ケーブルを介して通信網ＮＷに接続されることにより、通信網ＮＷに接続された他の装置（例えば、無線通信装置１０）と、有線ＬＡＮ方式に従った通信を行なう。
【００５２】
（機能；無線通信装置１０）
次に、無線通信装置１０の機能について説明する。無線通信装置１０の機能は、図７に表されるように、例示的に、無線ＩＦ（Ｉｎｔｅｒｆａｃｅ）処理部１０１と、Ｓ１ＩＦ処理部１０２と、Ｘ２ＩＦ処理部１０３と、制御部１０４と、推定部１０５と、を含む。
【００５３】
無線ＩＦ処理部１０１は、上記通信方式に従って、当該無線ＩＦ処理部１０１に端末装置２０を接続するための制御信号（換言すると、メッセージ）を端末装置２０との間で送受信する。本例では、無線ＩＦ処理部１０１は、ＲＲＣ（Ｒａｄｉｏ  Ｒｅｓｏｕｒｃｅ  Ｃｏｎｔｒｏｌ）プロトコルに従った制御信号を送受信する。
【００５４】
無線ＩＦ処理部１０１は、上記通信方式に従って、当該無線ＩＦ処理部１０１に接続されている端末装置２０との間でデータ信号を送受信する。
【００５５】
Ｓ１ＩＦ処理部１０２は、上記通信方式に従って、制御装置３０と通信する。例えば、Ｓ１ＩＦ処理部１０２は、無線ＩＦ処理部１０１と新規に接続された端末装置２０を識別する情報、及び、接続が切断された端末装置２０を識別する情報を制御装置３０へ送信する。
【００５６】
また、Ｓ１ＩＦ処理部１０２は、ＨＯ要求を制御装置３０へ送信する。この場合、Ｓ１ＩＦ処理部１０２を備える無線通信装置１０は、ＨＯ元の装置として機能する。また、Ｓ１ＩＦ処理部１０２は、ＨＯ要求を制御装置３０から受信する。この場合、Ｓ１ＩＦ処理部１０２を備える無線通信装置１０は、ＨＯ先の装置として機能する。
【００５７】
Ｘ２ＩＦ処理部１０３は、上記通信方式に従って、当該Ｘ２ＩＦ処理部１０３を備える無線通信装置１０と異なる無線通信装置１０（換言すると、他の無線通信装置１０）と通信する。例えば、Ｘ２ＩＦ処理部１０３は、ＨＯ要求を他の無線通信装置１０へ送信する。この場合、Ｘ２ＩＦ処理部１０３を備える無線通信装置１０は、ＨＯ元の装置として機能する。また、Ｘ２ＩＦ処理部１０３は、ＨＯ要求を他の無線通信装置１０から受信する。この場合、Ｘ２ＩＦ処理部１０３を備える無線通信装置１０は、ＨＯ先の装置として機能する。
【００５８】
制御部１０４は、無線ＩＦ処理部１０１、Ｓ１ＩＦ処理部１０２、及び、Ｘ２ＩＦ処理部１０３により受信されたメッセージを処理する。更に、制御部１０４は、無線ＩＦ処理部１０１、Ｓ１ＩＦ処理部１０２、及び、Ｘ２ＩＦ処理部１０３により送信されるメッセージを制御する。
【００５９】
制御部１０４は、後述する、推定部１０５による推定の結果に基づいて、新規に無線ＩＦ処理部１０１に接続された端末装置２０との通信を制御する。制御部１０４の、推定部１０５による推定の結果に基づく制御については後述する。
【００６０】
推定部１０５は、当該推定部１０５を備える無線通信装置１０が形成するセルにおける接続情報を取得する。本例では、接続情報は、セルにおける無線ＩＦ処理部１０１と端末装置２０との間の接続に関する情報である。推定部１０５は、過去の接続に対して取得した接続情報に基づいて、新規に接続を要求してきた端末装置２０の種別を推定する。本例では、端末装置２０の種別は、携帯電話機、及び、Ｍ２Ｍデバイスのうちの１つである。
【００６１】
以下、先ず、接続情報の取得について説明を加え、その後、端末装置２０の種別の推定について説明を加える。
【００６２】
（接続情報の取得）
本例では、推定部１０５は、接続の原因を表す接続原因情報と、切断の原因を表す切断原因情報と、端末装置２０が接続されたセルの履歴を表す履歴情報と、に基づいて接続情報を取得する。
【００６３】
接続原因情報の取得について説明を加える。
本例では、無線通信システム１は、図８に表される手順を実行することにより、端末装置２０が無線通信装置１０に接続される。
本例では、端末装置２０は、Ｒａｎｄｏｍ  Ａｃｃｅｓｓ  Ｐｒｅａｍｂｌｅメッセージを無線通信装置１０へ送信する（図８のステップＳ１１）。
無線通信装置１０は、Ｒａｎｄｏｍ  Ａｃｃｅｓｓ  Ｒｅｓｐｏｎｓｅメッセージを端末装置２０へ送信する（図８のステップＳ１２）。
【００６４】
端末装置２０は、ＲＲＣ  Ｃｏｎｎｅｃｔｉｏｎ  Ｒｅｑｕｅｓｔメッセージを無線通信装置１０へ送信する（図８のステップＳ１３）。本例では、ＲＲＣ  Ｃｏｎｎｅｃｔｉｏｎ  Ｒｅｑｕｅｓｔメッセージは、接続原因情報を含む。接続原因情報は、「ＥｓｔａｂｌｉｓｈｍｅｎｔＣａｕｓｅ」と呼ばれるパラメータであってよい。
【００６５】
端末装置２０がＲＲＣ  Ｃｏｎｎｅｃｔｉｏｎ  Ｒｅｑｕｅｓｔメッセージを無線通信装置１０へ送信することは、端末装置２０が無線通信装置１０に新規に接続を要求することの一例である。本例では、無線通信装置１０に新規に接続を要求する端末装置２０は、過去に無線通信装置１０に接続されたことがない端末装置２０であってよいし、過去に無線通信装置１０に接続された後に当該接続が切断された端末装置２０であってよい。
【００６６】
無線通信装置１０は、ＲＲＣ  Ｃｏｎｎｅｃｔｉｏｎ  Ｓｅｔｕｐメッセージを端末装置２０へ送信する（図８のステップＳ１４）。
端末装置２０は、ＲＲＣ  Ｃｏｎｎｅｃｔｉｏｎ  Ｓｅｔｕｐ  Ｃｏｍｐｌｅｔｅメッセージを無線通信装置１０へ送信する（図８のステップＳ１５）。
これにより、端末装置２０の無線通信装置１０への接続が完了する。
【００６７】
本例では、推定部１０５は、端末装置２０からＲＲＣ  Ｃｏｎｎｅｃｔｉｏｎ  Ｒｅｑｕｅｓｔメッセージが受信される毎に、受信されたメッセージに含まれる接続原因情報を取得する。
【００６８】
「ＥｓｔａｂｌｉｓｈｍｅｎｔＣａｕｓｅ」は、図９に表されるように、用途毎に予め定められた値を有する。ＲＲＣ  Ｃｏｎｎｅｃｔｉｏｎ  Ｒｅｑｕｅｓｔメッセージに含まれる、「ＥｓｔａｂｌｉｓｈｍｅｎｔＣａｕｓｅ」が「ｄｅｌａｙＴｏｌｅｒａｎｔＡｃｃｅｓｓ」であることは、接続の原因が遅延耐性アクセスであることの一例である。
【００６９】
履歴情報の取得について説明を加える。
本例では、無線通信システム１は、図１０に表される手順を実行することにより、無線通信装置１０が制御装置３０からのＨＯ要求に基づいて端末装置２０に対するＨＯを実行する。
本例では、制御装置３０は、Ｈａｎｄｏｖｅｒ  Ｒｅｑｕｅｓｔメッセージを無線通信装置１０へ送信する（図１０のステップＳ２１）。
【００７０】
本例では、Ｈａｎｄｏｖｅｒ  Ｒｅｑｕｅｓｔメッセージは、履歴情報を含む。履歴情報は、ＵＥ  Ｈｉｓｔｏｒｙ  Ｉｎｆｏｒｍａｔｉｏｎと表されてよい。
本例では、履歴情報は、セルを識別するセル識別子と、セルの種別（例えば、セルの大きさ）を表すセル種別と、端末装置２０がセルに接続されていた時間を表す滞在時間と、を含む。図１１に表されるように、セル識別子、セル種別、及び、滞在時間は、「Ｇｌｏｂａｌ  Ｃｅｌｌ  ＩＤ」、「Ｃｅｌｌ  Ｔｙｐｅ」、及び、「Ｔｉｍｅ  ＵＥ  ｓｔａｙｅｄ  ｉｎ  Ｃｅｌｌ」とそれぞれ表されてよい。
【００７１】
無線通信装置１０は、Ｈａｎｄｏｖｅｒ  Ｒｅｑｕｅｓｔ  Ａｃｋｎｏｗｌｅｄｇｅメッセージを制御装置３０へ送信する（図１０のステップＳ２２）。
端末装置２０は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを無線通信装置１０へ送信する（図１０のステップＳ２３）。
これにより、制御装置３０からのＨＯ要求に基づく端末装置２０に対するＨＯの実行が完了する。
【００７２】
なお、無線通信システム１は、無線通信装置１０が、制御装置３０に代えて他の無線通信装置１０からＨＯ要求を受信した場合も同様に動作する。
本例では、推定部１０５は、他の無線通信装置１０又は制御装置３０からＨａｎｄｏｖｅｒ  Ｒｅｑｕｅｓｔメッセージが受信される毎に、受信されたメッセージに含まれる履歴情報を取得する。
【００７３】
切断原因情報の取得について説明を加える。
本例では、無線通信システム１は、図１２に表される手順を実行することにより、無線通信装置１０が制御装置３０からの指示に従って端末装置２０との接続を切断する。
本例では、制御装置３０は、ＵＥ  Ｃｏｎｔｅｘｔ  Ｒｅｌｅａｓｅ  Ｃｏｍｍａｎｄメッセージを無線通信装置１０へ送信する（図１２のステップＳ３１）。本例では、ＵＥ  Ｃｏｎｔｅｘｔ  Ｒｅｌｅａｓｅ  Ｃｏｍｍａｎｄメッセージは、切断原因情報を含む。切断の原因がＨＯである場合、切断原因情報は、ＨＯを表す。本例では、この場合、切断原因情報は、「Ｓｕｃｃｅｓｓｆｕｌ  ＨＯ」を表す。
【００７４】
無線通信装置１０は、ＵＥ  Ｃｏｎｔｅｘｔ  Ｒｅｌｅａｓｅ  Ｃｏｍｐｌｅｔｅメッセージを制御装置３０へ送信する（図１２のステップＳ３２）。
無線通信装置１０は、ＲＲＣ  Ｃｏｎｎｅｃｔｉｏｎ  Ｒｅｌｅａｓｅメッセージを端末装置２０へ送信する（図１２のステップＳ３３）。
これにより、制御装置３０からの指示に基づいた、無線通信装置１０による接続の切断が完了する。
【００７５】
本例では、推定部１０５は、制御装置３０からＵＥ  Ｃｏｎｔｅｘｔ  Ｒｅｌｅａｓｅ  Ｃｏｍｍａｎｄメッセージが受信される毎に、受信されたメッセージに含まれる切断原因情報を取得する。
【００７６】
更に、本例では、無線通信システム１は、図１３に表される手順を実行することにより、無線通信装置１０が自発的に端末装置２０との接続を切断する。
本例では、無線通信装置１０は、ＵＥ  Ｃｏｎｔｅｘｔ  Ｒｅｌｅａｓｅ  Ｒｅｑｕｅｓｔメッセージを制御装置３０へ送信する（図１３のステップＳ４１）。本例では、ＵＥ  Ｃｏｎｔｅｘｔ  Ｒｅｌｅａｓｅ  Ｒｅｑｕｅｓｔメッセージは、切断原因情報を含む。
【００７７】
無線通信装置１０は、ＲＲＣ  Ｃｏｎｎｅｃｔｉｏｎ  Ｒｅｌｅａｓｅメッセージを端末装置２０へ送信する（図１３のステップＳ４２）。
これにより、無線通信装置１０による自発的な接続の切断が完了する。
【００７８】
本例では、推定部１０５は、制御装置３０へＵＥ  Ｃｏｎｔｅｘｔ  Ｒｅｌｅａｓｅ  Ｒｅｑｕｅｓｔメッセージが送信される毎に、送信されたメッセージに含まれる切断原因情報を取得する。
【００７９】
本例では、接続情報は、原因が遅延耐性アクセスである接続に対する、ＨＯ切断割合及び往復ＨＯ割合を含む。
ＨＯ切断割合は、当該推定部１０５を備える無線通信装置１０が形成するセルにて切断された接続の数に対する、当該セルにてＨＯによって切断された接続の数の割合である。
往復ＨＯ割合は、ＨＯが実行された回数に対する、当該推定部１０５を備える無線通信装置１０が形成するセルと他のセルとの間で繰り返されるＨＯが実行された回数の割合である。
本例では、接続情報は、セルにおける無線ＩＦ処理部１０１と端末装置２０との間の接続を統計した情報である、と捉えられてよい。
【００８０】
推定部１０５は、遅延耐性アクセスを表す接続原因情報が取得された接続が切断された数（換言すると、全切断数）と、当該接続のうちの接続がＨＯにより切断された数（換言すると、ＨＯ切断数）と、を計数する。本例では、接続がＨＯにより切断されたか否かは、切断原因情報に基づいて判定される。
推定部１０５は、ＨＯ切断数を全切断数によって除することにより、ＨＯ切断割合を算出する。
【００８１】
更に、推定部１０５は、遅延耐性アクセスを表す接続原因情報が取得された接続に対して取得された履歴情報の数（換言すると、全情報数）と、当該履歴情報のうちの往復ＨＯ条件を満たす履歴情報の数（換言すると、往復ＨＯ情報数）と、を計数する。
【００８２】
本例では、履歴情報は、３回前までの各接続にて接続されていたセルを識別する情報を含む。
本例では、往復ＨＯ条件は、１回前の接続にて接続されていたセルと、３回前の接続にて接続されていたセルと、が第１のセルであり、２回前の接続にて接続されていたセルが第２のセルである、という条件である。ここで、第１のセルは、当該推定部１０５を備える無線通信装置１０が形成するセルと異なるセルである。更に、第２のセルは、当該推定部１０５を備える無線通信装置１０が形成するセルである。
【００８３】
例えば、図１４に表されるように、３回前までの各接続にて接続されていたセルの組み合わせ毎に、当該組み合わせを表す履歴情報が取得された場合を想定する。ｋ回前の接続にて接続されていたセルは、ｋ回前の接続セルと表されてよい。ｋは、１から３の各整数を表す。取得された履歴情報の数は、情報数と表されてよい。
【００８４】
図１４において、当該推定部１０５を備える無線通信装置１０が形成するセルを識別するセル識別子が「Ｃｅｌｌ＃０」である場合を想定する。この場合、推定部１０５は、往復ＨＯ情報数として、８８７（＝６３１＋２５６）を取得する。更に、推定部１０５は、全情報数として、９２１（＝６３１＋２５６＋１７＋１０＋３＋３＋１）を取得する。
【００８５】
推定部１０５は、往復ＨＯ情報数を全情報数によって除することにより、往復ＨＯ割合を算出する。
【００８６】
このようにして、本例では、推定部１０５は、図１５に表されるように、「ＥｓｔａｂｌｉｓｈｍｅｎｔＣａｕｓｅ」毎の、ＨＯ切断割合及び往復ＨＯ割合を取得する。なお、推定部１０５は、「ＥｓｔａｂｌｉｓｈｍｅｎｔＣａｕｓｅ」が「ｄｅｌａｙＴｏｌｅｒａｎｔＡｃｃｅｓｓ」と異なる接続に対するＨＯ切断割合及び往復ＨＯ割合を取得しなくてもよい。
【００８７】
また、接続情報は、ＨＯ切断割合及び往復ＨＯ割合に加えて、又は、ＨＯ切断割合及び往復ＨＯ割合に代えて、原因が遅延耐性アクセスである接続における通信の状態を表すパラメータを含んでもよい。
【００８８】
接続における通信の状態を表すパラメータは、平均リソース使用量、平均ベアラ使用数、平均通信データ量、平均通信データレート、及び、平均通信時間割合の少なくとも１つを含んでよい。
【００８９】
平均リソース使用量は、１つの接続にて使用された無線リソースの量の、自セルにおける接続に対する平均値である。自セルは、当該推定部１０５を備える無線通信装置１０が形成するセルである。無線リソースの量は、例えば、リソースブロックの数であってよい。
【００９０】
平均ベアラ使用数は、１つの接続にて使用されたベアラの数の、自セルにおける接続に対する平均値である。例えば、ベアラは、Ｅ−ＲＡＢ（Ｅ−ＵＴＲＡＮ  Ｒａｄｉｏ  Ａｃｃｅｓｓ  Ｂｅａｒｅｒ）である。
【００９１】
平均通信データ量は、１つの接続にて通信されたデータの量の、自セルにおける接続に対する平均値である。
平均通信データレートは、１つの接続にて単位時間あたりに通信されたデータの量の、自セルにおける接続に対する平均値である。
平均通信時間割合は、１つの接続において通信可能な時間に対する、当該接続においてデータが通信された時間の割合の、自セルにおける接続に対する平均値である。
【００９２】
また、接続情報は、原因が遅延耐性アクセスであるか否かに関係なく、原因が任意の原因である接続に対する情報であってもよい。
【００９３】
（端末装置２０の種別の推定）
次に、端末装置２０の種別の推定について説明を加える。
原因が遅延耐性アクセスである接続は、Ｍ２Ｍデバイスによって実行される確率が高い。しかしながら、Ｍ２Ｍデバイスと異なる種別の端末装置２０によって、原因が遅延耐性アクセスである接続が実行されることも考えられる。そこで、本例では、推定部１０５は、接続の原因に加えて接続情報にも基づいて、新規に接続を要求してきた端末装置２０の種別を推定する。
【００９４】
推定部１０５は、下記第１の条件及び下記第２の条件の両方が満たされる場合、並びに、下記第１の条件及び下記第３の条件の両方が満たされる場合、新規に接続を要求してきた端末装置２０の種別をＭ２Ｍデバイスであると推定する。
一方、推定部１０５は、下記第１の条件が満たされない場合、並びに、下記第２の条件及び下記第３の条件の両方が満たされない場合、新規に接続を要求してきた端末装置２０の種別を携帯電話機であると推定する。
【００９５】
第１の条件は、端末装置２０による新規の接続の原因が遅延耐性アクセスである、という条件である。
第２の条件は、ＨＯ切断割合が所定の第１の閾値以下である、という条件である。
第３の条件は、往復ＨＯ割合が所定の第２の閾値以上である、という条件である。
【００９６】
接続情報を取得する基となる情報が取得された期間が長くなるほど、無線通信装置１０に接続された端末装置２０の数に対する、当該無線通信装置１０に接続されたＭ２Ｍデバイスの数の割合の変化が接続情報に反映されにくくなる。また、接続情報を取得する基となる情報が取得された期間が長くなるほど、セルにおける通信の状態の変化が接続情報に反映されにくくなる。
【００９７】
そこで、推定部１０５は、所定の長さを有する期間における接続に対する情報に基づいて接続情報を取得してよい。また、推定部１０５は、接続情報を取得するために計数される数（例えば、全切断数、及び、ＨＯ切断数等）を、所定の周期が経過する毎に「０」に設定することにより計数し直してよい。
【００９８】
次に、無線通信装置１０と、当該無線通信装置１０に新規に接続を要求してきた端末装置２０と、の間の通信の制御について説明を加える。
制御部１０４は、推定部１０５による推定の結果に基づいて、新規に接続を要求してきた端末装置２０との通信を制御する。
【００９９】
本例では、通信の制御は、無線パラメータを設定することにより実行される。
本例では、無線パラメータは、図１６に表されるように、ｕｅ−ＩｎａｃｔｉｖｅＴｉｍｅと、ＭｅａｓＣｙｃｌｅＳＣｅｌｌと、Ｏｎ−ｄｕｒａｔｉｏｎＴｉｍｅｒと、ＤＲＸ−Ｃｙｃｌｅと、を含む。
【０１００】
ｕｅ−ＩｎａｃｔｉｖｅＴｉｍｅは、無線通信装置１０が通信を行なっていない端末装置２０との接続を切断するまで待機する時間を表す。ｕｅ−ＩｎａｃｔｉｖｅＴｉｍｅが表す時間は、無線通信装置１０と端末装置２０との間の接続が維持される時間の一例である。
【０１０１】
ＭｅａｓＣｙｃｌｅＳＣｅｌｌは、端末装置２０がＳＣｅｌｌの通信品質を測定する周期を表す。ＳＣｅｌｌは、キャリアアグリゲーションにおけるＳｅｃｏｎｄａｒｙ  Ｃｅｌｌを表す。
【０１０２】
Ｏｎ−ｄｕｒａｔｉｏｎＴｉｍｅｒは、端末装置２０が受信データを監視する時間を表す。受信データは、例えば、報知情報、又は、ページング信号である。
ＤＲＸ−Ｃｙｃｌｅは、端末装置２０が受信データを監視する周期を表す。
ＭｅａｓＣｙｃｌｅＳＣｅｌｌが表す周期、Ｏｎ−ｄｕｒａｔｉｏｎＴｉｍｅｒが表す時間、及び、ＤＲＸ−Ｃｙｃｌｅが表す周期のそれぞれは、端末装置２０が動作する時間の一例である。
【０１０３】
制御部１０４は、新規に接続を要求してきた端末装置２０がＭ２Ｍデバイスであると推定部１０５により推定された場合、ｕｅ−ＩｎａｃｔｉｖｅＴｉｍｅを第１の時間に設定する。第１の時間は、例えば、数秒である。
一方、制御部１０４は、新規に接続を要求してきた端末装置２０が携帯電話機であると推定部１０５により推定された場合、ｕｅ−ＩｎａｃｔｉｖｅＴｉｍｅを第２の時間に設定する。本例では、第２の時間は、第１の時間よりも長い。第２の時間は、例えば、数分以上の時間である。
【０１０４】
Ｍ２Ｍデバイスは、通信を行なっていない期間が携帯電話機よりも長く継続しやすい。従って、Ｍ２Ｍデバイスとの接続が無駄に維持されることにより、無線リソースが無駄に使用されることがある。これに対し、制御部１０４によれば、Ｍ２Ｍデバイスとの接続を早期に切断できるので、無線リソースを有効に利用できる。
【０１０５】
更に、制御部１０４は、新規に接続を要求してきた端末装置２０がＭ２Ｍデバイスであると推定部１０５により推定された場合、ＭｅａｓＣｙｃｌｅＳＣｅｌｌを第１の周期に設定する。第１の周期は、予め定められた時間の範囲（換言すると、第１の時間範囲）の最大値である。
【０１０６】
一方、制御部１０４は、新規に接続を要求してきた端末装置２０が携帯電話機であると推定部１０５により推定された場合、ＭｅａｓＣｙｃｌｅＳＣｅｌｌを第２の周期に設定する。本例では、第２の周期は、第１の周期よりも短い。本例では、第２の周期は、第１の時間範囲のうちの最大値よりも小さい値である。
【０１０７】
Ｍ２Ｍデバイスは、単位時間あたりに通信するデータ量が携帯電話機よりも少なくなりやすい。このため、Ｍ２Ｍデバイスは、キャリアアグリゲーションを行なわずに通信する。従って、Ｍ２Ｍデバイスは、通信品質の測定を無駄に行ないやすい。これに対し、制御部１０４によれば、Ｍ２Ｍデバイスが通信品質を測定する頻度を低減できるので、Ｍ２Ｍデバイスが消費する電力の量（換言すると、消費電力量）を低減できる。
【０１０８】
更に、制御部１０４は、新規に接続を要求してきた端末装置２０がＭ２Ｍデバイスであると推定部１０５により推定された場合、Ｏｎ−ｄｕｒａｔｉｏｎＴｉｍｅｒを第３の時間に設定する。第３の時間は、予め定められた時間の範囲（換言すると、第２の時間範囲）の最小値である。
一方、制御部１０４は、新規に接続を要求してきた端末装置２０が携帯電話機であると推定部１０５により推定された場合、Ｏｎ−ｄｕｒａｔｉｏｎＴｉｍｅｒを第４の時間に設定する。本例では、第４の時間は、第３の時間よりも長い。本例では、第４の時間は、第２の時間範囲のうちの最小値よりも大きい値である。
【０１０９】
Ｍ２Ｍデバイスは、データを受信する頻度が携帯電話機よりも少なくなりやすい。このため、Ｍ２Ｍデバイスは、受信データの監視を無駄に行ないやすい。これに対し、制御部１０４によれば、Ｍ２Ｍデバイスが受信データを監視する時間を短縮できるので、Ｍ２Ｍデバイスの消費電力量を低減できる。
【０１１０】
更に、制御部１０４は、新規に接続を要求してきた端末装置２０がＭ２Ｍデバイスであると推定部１０５により推定された場合、ＤＲＸ−Ｃｙｃｌｅを第３の周期に設定する。第３の周期は、予め定められた時間の範囲（換言すると、第３の時間範囲）の最大値である。
一方、制御部１０４は、新規に接続を要求してきた端末装置２０が携帯電話機であると推定部１０５により推定された場合、ＤＲＸ−Ｃｙｃｌｅを第４の周期に設定する。本例では、第４の周期は、第３の周期よりも短い。本例では、第４の周期は、第３の時間範囲のうちの最大値よりも小さい値である。
【０１１１】
Ｍ２Ｍデバイスは、データを受信する頻度が携帯電話機よりも少なくなりやすい。このため、Ｍ２Ｍデバイスは、受信データの監視を無駄に行ないやすい。これに対し、制御部１０４によれば、Ｍ２Ｍデバイスが受信データを監視する頻度を低減できるので、Ｍ２Ｍデバイスの消費電力量を低減できる。
【０１１２】
なお、携帯電話機であると推定された端末装置２０に対して設定される無線パラメータは、携帯電話機用パラメータと表されてよい。また、Ｍ２Ｍデバイスであると推定された端末装置２０に対して設定される無線パラメータは、Ｍ２Ｍデバイス用パラメータと表されてよい。
【０１１３】
なお、無線パラメータは、図１６に表されるパラメータのうちの一部のパラメータであってもよい。
また、無線パラメータは、図１６に表されるパラメータと異なるパラメータであってもよい。例えば、無線パラメータは、端末装置２０がセルにおける通信の品質を測定する周期を表す第１のパラメータを含んでよい。
【０１１４】
この場合において、制御部１０４は、新規に接続を要求してきた端末装置２０がＭ２Ｍデバイスであると推定部１０５により推定された場合、第１のパラメータを第５の周期に設定する。一方、制御部１０４は、新規に接続を要求してきた端末装置２０が携帯電話機であると推定部１０５により推定された場合、第１のパラメータを第６の周期に設定する。本例では、第６の周期は、第５の周期よりも短い。これによれば、Ｍ２Ｍデバイスが通信品質を測定する頻度を低減できるので、Ｍ２Ｍデバイスの消費電力量を低減できる。
【０１１５】
また、例えば、無線パラメータは、端末装置２０がセルにおける通信の品質の測定結果を報告（例えば、送信）する周期を表す第２のパラメータを含んでよい。第２のパラメータは、ＲｅｐｏｒｔＩｎｔｅｒｖａｌと表されてよい。
【０１１６】
この場合において、制御部１０４は、新規に接続を要求してきた端末装置２０がＭ２Ｍデバイスであると推定部１０５により推定された場合、第２のパラメータを第７の周期に設定する。一方、制御部１０４は、新規に接続を要求してきた端末装置２０が携帯電話機であると推定部１０５により推定された場合、第２のパラメータを第８の周期に設定する。本例では、第８の周期は、第７の周期よりも短い。これによれば、Ｍ２Ｍデバイスが通信品質の測定結果を報告する頻度を低減できるので、Ｍ２Ｍデバイスの消費電力量を低減できる。
【０１１７】
また、例えば、無線パラメータは、端末装置２０がセルにおける通信の品質の測定結果を報告（例えば、送信）するか否かの決定に用いられる第３のパラメータを含んでよい。第３のパラメータは、ＴｈｒｅｓｈｏｌｄＥＵＴＲＡと表されてよい。
【０１１８】
例えば、端末装置２０は、通信の品質が第３のパラメータよりも低い場合、通信品質の測定結果を報告する。
この場合において、制御部１０４は、新規に接続を要求してきた端末装置２０がＭ２Ｍデバイスであると推定部１０５により推定された場合、第３のパラメータを第１の値に設定する。一方、制御部１０４は、新規に接続を要求してきた端末装置２０が携帯電話機であると推定部１０５により推定された場合、第３のパラメータを第２の値に設定する。本例では、第２の値は、第１の値よりも大きい。これによれば、Ｍ２Ｍデバイスが通信品質の測定結果を報告する頻度を低減できるので、Ｍ２Ｍデバイスの消費電力量を低減できる。
【０１１９】
また、例えば、端末装置２０は、通信の品質が第３のパラメータよりも高い場合、通信品質の測定結果を報告する。
この場合において、制御部１０４は、新規に接続を要求してきた端末装置２０がＭ２Ｍデバイスであると推定部１０５により推定された場合、第３のパラメータを第３の値に設定する。一方、制御部１０４は、新規に接続を要求してきた端末装置２０が携帯電話機であると推定部１０５により推定された場合、第３のパラメータを第４の値に設定する。本例では、第４の値は、第３の値よりも小さい。これによれば、Ｍ２Ｍデバイスが通信品質の測定結果を報告する頻度を低減できるので、Ｍ２Ｍデバイスの消費電力量を低減できる。
【０１２０】
また、例えば、無線パラメータは、端末装置２０が通信の品質の測定結果を報告する対象のセルの数の最大値を表す第４のパラメータを含んでよい。第４のパラメータは、ｍａｘＲｅｐｏｒｔＣｅｌｌｓと表されてよい。
【０１２１】
この場合において、制御部１０４は、新規に接続を要求してきた端末装置２０がＭ２Ｍデバイスであると推定部１０５により推定された場合、第４のパラメータを第５の値に設定する。一方、制御部１０４は、新規に接続を要求してきた端末装置２０が携帯電話機であると推定部１０５により推定された場合、第４のパラメータを第６の値に設定する。本例では、第６の値は、第５の値よりも大きい。これによれば、Ｍ２Ｍデバイスにより送信される、通信品質の測定結果の情報量を低減できるので、Ｍ２Ｍデバイスの消費電力量を低減できる。
【０１２２】
本例では、無線通信システム１は、図１７に表される手順を実行することにより、端末装置２０に対する無線パラメータが無線通信装置１０によって設定される。例えば、図１７に表される手順は、図８に表される手順の後に実行されてよい。
【０１２３】
本例では、無線通信装置１０は、ＲＲＣ  Ｃｏｎｎｅｃｔｉｏｎ  Ｒｅｃｏｎｆｉｇｕｒａｔｉｏｎメッセージを端末装置２０へ送信する（図１７のステップＳ５１）。本例では、ＲＲＣ  Ｃｏｎｎｅｃｔｉｏｎ  Ｒｅｃｏｎｆｉｇｕｒａｔｉｏｎメッセージは、通信パラメータを含む。
端末装置２０は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを無線通信装置１０へ送信する（図１７のステップＳ５２）。
これにより、端末装置２０に対する無線パラメータの設定が完了する。
【０１２４】
（動作）
無線通信システム１の一例について説明する。
本例では、ＨＯ切断割合に対する第１の閾値が５％であり、且つ、往復ＨＯ割合に対する第２の閾値が９９％である場合を想定する。
本例では、無線通信装置１０は、当該無線通信装置１０に新規に端末装置２０が接続される毎に、図１８に表される処理を実行する。
【０１２５】
先ず、新規に接続を要求してきた端末装置２０が携帯電話機である場合から説明する。
この場合、無線通信装置１０は、接続の原因が遅延耐性アクセスであるか否かを判定する（図１８のステップＦ１１）。
【０１２６】
上記仮定に従えば、端末装置２０から無線通信装置１０へ送信されるＲＲＣ  Ｃｏｎｎｅｃｔｉｏｎ  Ｒｅｑｕｅｓｔメッセージに含まれる「ＥｓｔａｂｌｉｓｈｍｅｎｔＣａｕｓｅ」は、「ｍｏ−Ｄａｔａ」である。従って、無線通信装置１０は、ステップＦ１１にて「Ｎｏ」と判定し、当該無線通信装置１０に新規に接続を要求してきた端末装置２０に対する無線パラメータを携帯電話機用パラメータに設定する（図１８のステップＦ１５）。そして、無線通信装置１０は、図１８に表される処理を終了する。
【０１２７】
次に、新規に接続を要求してきた端末装置２０がＭ２Ｍデバイスであり、且つ、接続情報に含まれるＨＯ切断割合が第１の閾値以下である場合について説明する。例えば、ＨＯ切断割合が３％である場合を想定する。
【０１２８】
この場合、端末装置２０から無線通信装置１０へ送信されるＲＲＣ  Ｃｏｎｎｅｃｔｉｏｎ  Ｒｅｑｕｅｓｔメッセージに含まれる「ＥｓｔａｂｌｉｓｈｍｅｎｔＣａｕｓｅ」は、「ｄｅｌａｙＴｏｌｅｒａｎｔＡｃｃｅｓｓ」である。従って、無線通信装置１０は、処理が図１８のステップＦ１１に進んだとき、「Ｙｅｓ」と判定し、接続情報に含まれるＨＯ切断割合が第１の閾値以下であるか否かを判定する（図１８のステップＦ１２）。
【０１２９】
上記仮定に従えば、接続情報に含まれるＨＯ切断割合は第１の閾値以下である。従って、無線通信装置１０は、ステップＦ１２にて「Ｙｅｓ」と判定し、当該無線通信装置１０に新規に接続を要求してきた端末装置２０に対する無線パラメータをＭ２Ｍデバイス用パラメータに設定する（図１８のステップＦ１４）。そして、無線通信装置１０は、図１８に表される処理を終了する。
【０１３０】
次に、新規に接続を要求してきた端末装置２０がＭ２Ｍデバイスであり、接続情報に含まれるＨＯ切断割合が第１の閾値よりも大きく、且つ、接続情報に含まれる往復ＨＯ割合が第２の閾値よりも小さい場合について説明する。例えば、ＨＯ切断割合が８％であり、且つ、往復ＨＯ割合が９６％である場合を想定する。
【０１３１】
この場合、端末装置２０から無線通信装置１０へ送信されるＲＲＣ  Ｃｏｎｎｅｃｔｉｏｎ  Ｒｅｑｕｅｓｔメッセージに含まれる「ＥｓｔａｂｌｉｓｈｍｅｎｔＣａｕｓｅ」は、「ｄｅｌａｙＴｏｌｅｒａｎｔＡｃｃｅｓｓ」である。従って、無線通信装置１０は、処理が図１８のステップＦ１１に進んだとき、「Ｙｅｓ」と判定する。
【０１３２】
更に、この場合、接続情報に含まれるＨＯ切断割合は第１の閾値よりも大きい。従って、無線通信装置１０は、処理が図１８のステップＦ１２に進んだとき、「Ｎｏ」と判定し、接続情報に含まれる往復ＨＯ割合が第２の閾値以上であるか否かを判定する（図１８のステップＦ１３）。
【０１３３】
上記仮定に従えば、接続情報に含まれる往復ＨＯ割合は第２の閾値よりも小さい。従って、無線通信装置１０は、ステップＦ１３にて「Ｎｏ」と判定し、当該無線通信装置１０に新規に接続を要求してきた端末装置２０に対する無線パラメータを携帯電話機用パラメータに設定する（図１８のステップＦ１５）。そして、無線通信装置１０は、図１８に表される処理を終了する。
【０１３４】
次に、新規に接続を要求してきた端末装置２０がＭ２Ｍデバイスであり、接続情報に含まれるＨＯ切断割合が第１の閾値よりも大きく、且つ、接続情報に含まれる往復ＨＯ割合が第２の閾値以上である場合について説明する。例えば、ＨＯ切断割合が８％であり、且つ、往復ＨＯ割合が９９％である場合を想定する。
【０１３５】
この場合、端末装置２０から無線通信装置１０へ送信されるＲＲＣ  Ｃｏｎｎｅｃｔｉｏｎ  Ｒｅｑｕｅｓｔメッセージに含まれる「ＥｓｔａｂｌｉｓｈｍｅｎｔＣａｕｓｅ」は、「ｄｅｌａｙＴｏｌｅｒａｎｔＡｃｃｅｓｓ」である。従って、無線通信装置１０は、処理が図１８のステップＦ１１に進んだとき、「Ｙｅｓ」と判定する。
【０１３６】
更に、この場合、接続情報に含まれるＨＯ切断割合は第１の閾値よりも大きい。従って、無線通信装置１０は、処理が図１８のステップＦ１２に進んだとき、「Ｎｏ」と判定する。更に、この場合、接続情報に含まれる往復ＨＯ割合は第２の閾値以上である。従って、無線通信装置１０は、処理が図１８のステップＦ１３に進んだとき、「Ｙｅｓ」と判定する。
【０１３７】
次いで、無線通信装置１０は、当該無線通信装置１０に新規に接続を要求してきた端末装置２０に対する無線パラメータをＭ２Ｍデバイス用パラメータに設定する（図１８のステップＦ１４）。そして、無線通信装置１０は、図１８に表される処理を終了する。
【０１３８】
次に、無線通信装置１０が形成するセルと、当該セルに隣接するセルと、の関係が変化する場合について説明する。セルの一部が他のセルに含まれることは、セルの隣接の一例である。本例では、図１９に表されるように、無線通信装置１０−１が形成するセルＷＡ−１と、無線通信装置１０−２が形成するセルＷＡ−２と、が互いに隣接する場合を想定する。
【０１３９】
更に、携帯電話機である端末装置２０−３及び２０−４が無線通信装置１０−１に接続されるとともに、Ｍ２Ｍデバイスである端末装置２０−１及び２０−２が無線通信装置１０−２に接続される場合を想定する。加えて、Ｍ２Ｍデバイスである端末装置２０−１及び２０−２がセルＷＡ−１に含まれている場合を想定する。
【０１４０】
更に、接続情報を取得するために計数される数が「０」に設定された後に、図２０に表されるように、無線通信装置１０−２が動作を停止した（例えば、無線通信システム１から取り除かれた）場合を想定する。本例では、接続情報を取得するために計数される数は、全切断数、ＨＯ切断数、及び、履歴情報の数である。
【０１４１】
この場合、Ｍ２Ｍデバイスである端末装置２０−１及び２０−２は、無線通信装置１０−２から無線通信装置１０−１へのＨＯによって、新規に無線通信装置１０−１に接続される。この場合、図２１に表されるように、１回前の接続セルが「Ｃｅｌｌ＃２」であり、且つ、２回前及び３回前の接続セルが存在しない履歴情報の数（換言すると、情報数）が「２」である。本例では、「Ｃｅｌｌ＃２」は、セルＷＡ−２を識別する識別子である。
【０１４２】
従って、無線通信装置１０−１は、往復ＨＯ情報数として「０」を計数するとともに、全情報数として「２」を計数する。更に、この場合、図２２に表されるように、無線通信装置１０−１は、接続の原因のそれぞれに対する、ＨＯ切断数及び全切断数として「０」を計数する。
本例では、無線通信装置１０−１は、全切断数が「０」である場合、ＨＯ切断割合を第１の閾値よりも大きい値（本例では、１００％）に設定する。従って、無線通信装置１０−１は、原因が遅延耐性アクセスである接続に対する、ＨＯ切断割合及び往復ＨＯ割合として、１００％及び０％をそれぞれ取得する。
【０１４３】
このため、無線通信装置１０−１は、図１８のステップＦ１１にて「Ｙｅｓ」と判定し、図１８のステップＦ１２にて「Ｎｏ」と判定し、且つ、図１８のステップＦ１３にて「Ｎｏ」と判定する。そして、無線通信装置１０−１は、無線通信装置１０−１に新規に接続を要求してきた端末装置２０−１及び２０−２に対する無線パラメータを携帯電話機用パラメータに設定する（図１８のステップＦ１５）。
【０１４４】
その後、端末装置２０−１及び２０−２が通信を行なわない時間が、ｕｅ−ＩｎａｃｔｉｖｅＴｉｍｅとして設定された時間よりも長くなると、無線通信装置１０−１は、端末装置２０−１及び２０−２との接続を切断する。これにより、全切断数は増加する。一方、ＨＯ切断数は増加しない。
【０１４５】
例えば、図２３に表されるように、全切断数が「２」に変化した場合、無線通信装置１０−１は、原因が遅延耐性アクセスである接続に対するＨＯ切断割合として０％を取得する。
【０１４６】
従って、端末装置２０−１及び２０−２が、再び、新規に無線通信装置１０−１に接続された場合、無線通信装置１０−１は、図１８のステップＦ１１にて「Ｙｅｓ」と判定し、図１８のステップＦ１２にて「Ｙｅｓ」と判定する。そして、無線通信装置１０−１は、無線通信装置１０−１に新規に接続を要求してきた端末装置２０−１及び２０−２に対する無線パラメータをＭ２Ｍデバイス用パラメータに設定する（図１８のステップＦ１５）。
【０１４７】
以上、説明したように、第１実施形態の無線通信装置１０は、無線エリアにおける過去の接続によって得られる情報に基づいて、新規に接続を要求してきた端末装置２０の種別を推定する。更に、無線通信装置１０は、推定された種別に基づいて当該端末装置２０との通信を制御する。
【０１４８】
無線エリアにおける過去の接続によって得られる情報と、当該無線エリアにおいて新規に接続を要求してきた端末装置２０がＭ２Ｍデバイスである確率と、は相関する。従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１４９】
更に、第１実施形態の無線通信装置１０において、無線エリアにおける過去の接続によって得られる情報は、ＨＯ切断割合を含む。加えて、無線通信装置１０は、ＨＯ切断割合が第１の閾値以下である場合、新規に接続を要求してきた端末装置２０がＭ２Ｍデバイスであると推定する。
【０１５０】
例えば、無線エリア内に存在する端末装置２０の数に対する、固定された端末装置２０の数の割合が高くなるほど、当該無線エリアにおけるＨＯ切断割合は低くなる。ＨＯ切断割合が低くなるほど、新規に接続を要求してきた端末装置２０がＭ２Ｍデバイスである確率が高くなる。従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１５１】
更に、第１実施形態の無線通信装置１０において、無線エリアにおける過去の接続によって得られる情報は、往復ＨＯ割合を含む。加えて、無線通信装置１０は、ＨＯ切断割合が第１の閾値よりも高く、且つ、往復ＨＯ割合が第２の閾値以上である場合、新規に接続を要求してきた端末装置２０がＭ２Ｍデバイスであると推定する。
【０１５２】
例えば、端末装置２０が無線エリアと他の無線エリアとの境界に位置している場合、無線エリアと他の無線エリアとの間でＨＯが繰り返し実行されることがある。この場合、ＨＯ切断割合が高くなるとともに、往復ＨＯ割合が高くなりやすい。従って、ＨＯ切断割合が第１の閾値よりも大きい場合であっても、往復ＨＯ割合が高くなるほど、新規に接続を要求してきた端末装置２０がＭ２Ｍデバイスである確率が高くなる。
【０１５３】
従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１５４】
更に、第１実施形態の無線通信装置１０は、新規な接続の原因が遅延耐性アクセスである場合、新規に接続を要求してきた端末装置２０がＭ２Ｍデバイスであると推定する。
【０１５５】
接続の原因が遅延耐性アクセスである場合、Ｍ２Ｍデバイスが当該接続を実行した確率が高い。従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１５６】
更に、第１実施形態の無線通信装置１０は、新規に接続を要求してきた端末装置２０がＭ２Ｍデバイスであると推定された場合、新規に接続を要求してきた端末装置２０との通信を、所定の制御方式に従って制御する。制御方式は、接続が維持される時間、及び、端末装置２０が動作する時間の少なくとも一方が、新規に接続を要求してきた端末装置２０がＭ２Ｍデバイスと異なる装置であると推定された場合よりも短くなるように定められる。
【０１５７】
これによれば、新規に接続を要求してきた端末装置２０がＭ２Ｍデバイスである場合、当該接続が維持される時間を短縮できる。これにより、無線リソースを有効に利用できる。
また、新規に接続を要求してきた端末装置２０がＭ２Ｍデバイスである場合、当該端末装置２０が動作する時間を短縮できる。これにより、端末装置２０の消費電力量を低減できる。
【０１５８】
更に、第１実施形態の無線通信装置１０において、無線エリアにおける過去の接続によって得られる情報は、原因が遅延耐性アクセスである接続によって得られる。
【０１５９】
接続の原因が遅延耐性アクセスである場合、Ｍ２Ｍデバイスが当該接続を実行した確率が高い。従って、無線エリアにおける過去の接続によって得られる情報のうちの、原因が遅延耐性アクセスである接続によって得られる情報と、新規に接続を要求してきた端末装置２０がＭ２Ｍデバイスである確率と、は相関する。
【０１６０】
従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１６１】
＜第２実施形態＞
次に、本発明の第２実施形態に係る無線通信システムについて説明する。第２実施形態に係る無線通信システムは、第１実施形態に係る無線通信システムに対して、端末装置の種別の推定に平均通信データ量も用いる点において相違している。以下、かかる相違点を中心として説明する。なお、第２実施形態の説明において、第１実施形態にて使用した符号と同じ符号を付したものは、同一又はほぼ同様のものである。
【０１６２】
本例では、接続情報は、ＨＯ切断割合及び往復ＨＯ割合に加えて、原因が遅延耐性アクセスである接続における通信の状態を表すパラメータを含む。本例では、接続における通信の状態を表すパラメータは、平均通信データ量を含む。
【０１６３】
本例では、無線通信装置１０は、図１８に表される処理に代えて、図２４に表される処理を実行する。図２４の処理は、図１８の処理の、ステップＦ１３の「Ｎｏ」ルートにステップＦ２１を追加した処理である。
【０１６４】
本例では、無線通信装置１０は、図２４のステップＦ１３にて「Ｎｏ」と判定した場合、平均通信データ量が所定の第３の閾値以下であるか否かを判定する（図２４のステップＦ２１）。
【０１６５】
平均通信データ量が第３の閾値以下である場合、無線通信装置１０は、「Ｙｅｓ」と判定し、当該無線通信装置１０に新規に接続を要求してきた端末装置２０に対する無線パラメータをＭ２Ｍデバイス用パラメータに設定する（図２４のステップＦ１４）。
【０１６６】
一方、平均通信データ量が第３の閾値よりも大きい場合、無線通信装置１０は、「Ｎｏ」と判定し、当該無線通信装置１０に新規に接続を要求してきた端末装置２０に対する無線パラメータを携帯電話機用パラメータに設定する（図２４のステップＦ１５）。
【０１６７】
以上、説明したように、第２実施形態の無線通信装置１０において、無線エリアにおける過去の接続によって得られる情報は、１つの接続にて通信されたデータの量の、複数の接続に対する平均値を含む。更に、無線通信装置１０は、当該平均値が第３の閾値以下である場合、新規に接続を要求してきた端末装置２０がＭ２Ｍデバイスであると推定する。
【０１６８】
Ｍ２Ｍデバイスは、Ｍ２Ｍデバイスと異なる端末装置２０よりも、通信するデータの量が少なくなりやすい。例えば、無線エリア内に存在する端末装置２０の数に対する、Ｍ２Ｍデバイスの数の割合が高くなるほど、通信されたデータの量の平均値は少なくなる。
【０１６９】
従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１７０】
なお、無線通信装置１０は、平均通信データ量に代えて、平均リソース使用量、又は、平均ベアラ使用数を用いてもよい。
【０１７１】
＜第３実施形態＞
次に、本発明の第３実施形態に係る無線通信システムについて説明する。第３実施形態に係る無線通信システムは、第１実施形態に係る無線通信システムに対して、端末装置の種別の推定に平均通信データレートも用いる点において相違している。以下、かかる相違点を中心として説明する。なお、第３実施形態の説明において、第１実施形態にて使用した符号と同じ符号を付したものは、同一又はほぼ同様のものである。
【０１７２】
本例では、接続情報は、ＨＯ切断割合及び往復ＨＯ割合に加えて、原因が遅延耐性アクセスである接続における通信の状態を表すパラメータを含む。本例では、接続における通信の状態を表すパラメータは、平均通信データレートを含む。
【０１７３】
本例では、無線通信装置１０は、図１８に表される処理に代えて、図２５に表される処理を実行する。図２５の処理は、図１８の処理の、ステップＦ１３の「Ｎｏ」ルートにステップＦ３１を追加した処理である。
【０１７４】
本例では、無線通信装置１０は、図２５のステップＦ１３にて「Ｎｏ」と判定した場合、平均通信データレートが所定の第４の閾値以下であるか否かを判定する（図２５のステップＦ３１）。
【０１７５】
平均通信データレートが第４の閾値以下である場合、無線通信装置１０は、「Ｙｅｓ」と判定し、当該無線通信装置１０に新規に接続を要求してきた端末装置２０に対する無線パラメータをＭ２Ｍデバイス用パラメータに設定する（図２５のステップＦ１４）。
【０１７６】
一方、平均通信データレートが第４の閾値よりも大きい場合、無線通信装置１０は、「Ｎｏ」と判定し、当該無線通信装置１０に新規に接続を要求してきた端末装置２０に対する無線パラメータを携帯電話機用パラメータに設定する（図２５のステップＦ１５）。
【０１７７】
以上、説明したように、第３実施形態の無線通信装置１０において、無線エリアにおける過去の接続によって得られる情報は、１つの接続にて単位時間あたりに通信されたデータの量の、複数の接続に対する平均値を含む。更に、無線通信装置１０は、当該平均値が第４の閾値以下である場合、新規に接続を要求してきた端末装置２０がＭ２Ｍデバイスであると推定する。
【０１７８】
Ｍ２Ｍデバイスは、Ｍ２Ｍデバイスと異なる端末装置２０よりも、単位時間あたりに通信するデータの量が少なくなりやすい。例えば、無線エリア内に存在する端末装置２０の数に対する、Ｍ２Ｍデバイスの数の割合が高くなるほど、単位時間あたりに通信されたデータの量の平均値は少なくなる。
【０１７９】
従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１８０】
＜第４実施形態＞
次に、本発明の第４実施形態に係る無線通信システムについて説明する。第４実施形態に係る無線通信システムは、第１実施形態に係る無線通信システムに対して、端末装置の種別の推定に平均通信時間割合も用いる点において相違している。以下、かかる相違点を中心として説明する。なお、第４実施形態の説明において、第１実施形態にて使用した符号と同じ符号を付したものは、同一又はほぼ同様のものである。
【０１８１】
Ｍ２Ｍデバイスは、携帯電話機よりも通信を行なわない時間が長くなりやすい。例えば、図２６に表されるように、Ｍ２Ｍデバイスである端末装置＃１は、２３秒のうちの２２秒の間、通信を行なわず、携帯電話機である端末装置＃２は、２３秒のうちの２秒の間、通信を行なわない。図２６において、ハッチングされた長方形は、通信が行なわれないことを表すとともに、ハッチングされていない長方形は、通信が行なわれることを表す。
【０１８２】
従って、１つの接続において通信可能な時間に対する、その接続においてデータが通信された時間の割合である通信時間割合と、その接続を行なった端末装置２０の種別と、は相関する。
【０１８３】
本例では、無線通信装置１０は、端末装置２０毎に、端末装置２０が通信を行なっていない時間を測定するタイマの測定値に基づいて通信時間割合を取得する。なお、タイマは、ＵＥ  Ｉｎａｃｔｉｖｉｔｙ  Ｔｉｍｅｒ、Ｕｓｅｒ  Ｉｎａｃｔｉｖｉｔｙ  Ｔｉｍｅｒ、ＵＥ  Ｉｎａｃｔｉｖｅ  Ｔｉｍｅｒ、又は、Ｕｓｅｒ  Ｉｎａｃｔｉｖｅ  Ｔｉｍｅｒと表されてよい。
【０１８４】
本例では、接続情報は、ＨＯ切断割合及び往復ＨＯ割合に加えて、原因が遅延耐性アクセスである接続における通信の状態を表すパラメータを含む。本例では、接続における通信の状態を表すパラメータは、平均通信時間割合を含む。
【０１８５】
本例では、無線通信装置１０は、図１８に表される処理に代えて、図２７に表される処理を実行する。図２７の処理は、図１８の処理の、ステップＦ１３の「Ｎｏ」ルートにステップＦ４１を追加した処理である。
【０１８６】
本例では、無線通信装置１０は、図２７のステップＦ１３にて「Ｎｏ」と判定した場合、平均通信時間割合が所定の第５の閾値以下であるか否かを判定する（図２７のステップＦ４１）。
【０１８７】
平均通信時間割合が第５の閾値以下である場合、無線通信装置１０は、「Ｙｅｓ」と判定し、当該無線通信装置１０に新規に接続を要求してきた端末装置２０に対する無線パラメータをＭ２Ｍデバイス用パラメータに設定する（図２７のステップＦ１４）。
【０１８８】
一方、平均通信時間割合が第５の閾値よりも大きい場合、無線通信装置１０は、「Ｎｏ」と判定し、当該無線通信装置１０に新規に接続を要求してきた端末装置２０に対する無線パラメータを携帯電話機用パラメータに設定する（図２７のステップＦ１５）。
【０１８９】
以上、説明したように、第４実施形態の無線通信装置１０において、無線エリアにおける過去の接続によって得られる情報は、１つの接続において通信可能な時間に対する、接続においてデータが通信された時間の割合の、複数の接続に対する平均値を含む。更に、無線通信装置１０は、当該平均値が第５の閾値以下である場合、新規に接続を要求してきた端末装置２０がＭ２Ｍデバイスであると推定する。
【０１９０】
Ｍ２Ｍデバイスは、Ｍ２Ｍデバイスと異なる端末装置２０よりも、通信可能な時間に対するデータが通信された時間の割合が低くなりやすい。例えば、無線エリア内に存在する端末装置２０の数に対する、Ｍ２Ｍデバイスの数の割合が高くなるほど、通信可能な時間に対するデータが通信された時間の割合の平均値は少なくなる。
【０１９１】
従って、無線通信装置１０によれば、新規に接続を要求してきた端末装置２０の種別の推定精度を向上できる。これにより、端末装置２０の種別に応じて、無線通信装置１０と端末装置２０との間の通信を適切に制御できる。この結果、効率的に無線通信を実行できる。例えば、無線リソースを有効に利用できる。また、例えば、端末装置２０の消費電力量を低減できる。
【０１９２】
なお、無線通信装置１０は、平均通信時間割合に代えて、平均無通信時間割合を用いてもよい。平均無通信時間割合は、１つの接続において通信可能な時間に対する、当該接続においてデータが通信されなかった時間の割合の、自セルにおける接続に対する平均値である。
【符号の説明】
【０１９３】
１      無線通信システム
１０    無線通信装置
１０１  無線ＩＦ処理部
１０２  Ｘ２ＩＦ処理部
１０３  Ｓ１ＩＦ処理部
１０４  制御部
１０５  推定部
１１    処理装置
１２    記憶装置
１３    無線通信部
１４    有線通信部
１５    アンテナ
２０    端末装置
２１    処理装置
２２    記憶装置
２３    無線通信部
２４    アンテナ
３０    制御装置
３１    処理装置
３２    記憶装置
３３    有線通信部
ＢＵ１，ＢＵ２，ＢＵ３  バス
ＮＷ    通信網
【図１】
2016167697.tif 000003
【図２】
2016167697.tif 000004
【図３】
2016167697.tif 000005
【図４】
2016167697.tif 000006
【図５】
2016167697.tif 000007
【図６】
2016167697.tif 000008
【図７】
2016167697.tif 000009
【図８】
2016167697.tif 000010
【図９】
2016167697.tif 000011
【図１０】
2016167697.tif 000012
【図１１】
2016167697.tif 000013
【図１２】
2016167697.tif 000014
【図１３】
2016167697.tif 000015
【図１４】
2016167697.tif 000016
【図１５】
2016167697.tif 000017
【図１６】
2016167697.tif 000018
【図１７】
2016167697.tif 000019
【図１８】
2016167697.tif 000020
【図１９】
2016167697.tif 000021
【図２０】
2016167697.tif 000022
【図２１】
2016167697.tif 000023
【図２２】
2016167697.tif 000024
【図２３】
2016167697.tif 000025
【図２４】
2016167697.tif 000026
【図２５】
2016167697.tif 000027
【図２６】
2016167697.tif 000028
【図２７】
2016167697.tif 000029